【手続補正書】
【提出日】平成25年11月18日(2013.11.18)
【手続補正１】
【補正対象書類名】特許請求の範囲
【補正対象項目名】全文
【補正方法】変更
【補正の内容】
【特許請求の範囲】
【請求項１】
複数の情報処理装置を含む、情報処理システムであって、
前記情報処理装置は、それぞれ、
記憶手段と、
前記複数の情報処理装置のうちの他の情報処理装置から送信される、情報処理装置を識別する識別情報を受信するための識別情報受信手段と、
前記識別情報受信手段により受信した前記他の情報処理装置の識別情報に基づいて、前記他の情報処理装置に対する譲渡データの送信および前記他の情報処理装置からの譲渡データの受信の少なくとも一方を行う譲渡データ通信処理を行うか否かを判断する譲渡データ通信判断手段と、
前記譲渡データ通信判断手段の判断結果に基づいて前記譲渡データ通信処理を制御する譲渡データ通信制御手段と、
少なくとも前記譲渡データ通信制御手段により前記譲渡データ通信処理を行うことを登録条件として、当該登録条件を満たす場合に、当該譲渡データ通信処理を行う相手となる前記他の情報処理装置の識別情報を前記記憶手段に登録する識別情報登録制御手段とを含み、
前記譲渡データ通信判断手段は、前記識別情報受信手段により受信した前記他の情報処理装置の識別情報が前記記憶手段に登録されていた場合には、当該譲渡データ通信処理を行なわないと判断する、情報処理システム。
【請求項２】
複数の情報処理装置を含む、情報処理システムであって、
前記情報処理装置は、それぞれ、
通信可能な前記複数の情報処理装置のうちの他の情報処理装置を探索する無線モジュールと、
前記他の情報処理装置に対する譲渡データの送信および前記他の情報処理装置からの譲渡データの受信の少なくとも一方を行う譲渡データ通信処理を制御し、スリープ状態に遷移可能な譲渡データ通信制御手段とを含み、
前記無線モジュールは、
記憶手段と、
前記複数の情報処理装置のうちの他の情報処理装置から送信される、情報処理装置を識別する識別情報を受信するための識別情報受信手段と、
前記識別情報受信手段により受信した前記他の情報処理装置の識別情報に基づいて、前記譲渡データ通信処理を行うか否かを判断する譲渡データ通信判断手段と、
前記譲渡データ通信判断手段によって、前記譲渡データ通信処理を行うと判断した場合には、前記譲渡データ通信制御手段に通知を行う通知手段とを含み、
前記譲渡データ通信制御手段は、前記通知手段による通知を受けた場合に、スリープ状態を解除して、前記譲渡データ通信処理を実行し、
前記情報処理装置は、少なくとも前記スリープ状態を解除したことを登録条件として、当該登録条件を満たす場合に、当該譲渡データ通信処理を行う相手となる前記他の情報処理装置の識別情報を前記記憶手段に登録する識別情報登録制御手段をさらに含み、
前記譲渡データ通信判断手段は、前記識別情報受信手段により受信した前記他の情報処理装置の識別情報が前記記憶手段に登録されていた場合には、当該譲渡データ通信処理を行なわないと判断する、情報処理システム。
【請求項３】
複数の情報処理装置を含む、情報処理システムであって、
前記情報処理装置は、それぞれ、
記憶手段と、
前記複数の情報処理装置のうちの他の情報処理装置から送信される、情報処理装置を識別する識別情報を受信するための識別情報受信手段と、
前記識別情報受信手段により受信した前記他の情報処理装置の識別情報に基づいて、前記他の情報処理装置に対する譲渡データの送信および前記他の情報処理装置からの譲渡データの受信の少なくとも一方を行う譲渡データ通信処理を行うか否かを判断する譲渡データ通信判断手段と、
前記譲渡データ通信判断手段の判断結果に基づいて前記譲渡データ通信処理を制御する譲渡データ通信制御手段と、
少なくとも前記譲渡データ通信判断手段の判断処理をしたことを登録条件として、当該登録条件を満たす場合に、当該譲渡データ通信処理を行う相手となる前記他の情報処理装置の識別情報を前記記憶手段に登録する識別情報登録制御手段とを含み、
前記譲渡データ通信判断手段は、前記識別情報受信手段により受信した前記他の情報処理装置の識別情報が前記記憶手段に登録されていた場合には、当該譲渡データ通信処理を行なわないと判断する、情報処理システム。
【請求項４】
前記識別情報受信手段は、前記他の情報処理装置の識別情報を受信するために、不特定の相手に識別情報を含む探索信号を送信あるいは前記他の情報処理装置から送信された前記探索信号を受信するまで待機する探索処理を繰り返し実行し、
前記譲渡データ通信判断手段は、前記識別情報受信手段による前記探索処理に従って通信可能な前記他の情報処理装置の識別情報毎に、前記譲渡データ通信処理を行うか否かを繰り返し判断する、請求項１〜３のいずれか一項に記載の情報処理システム。
【請求項５】
前記譲渡データ通信制御手段により前記他の情報処理装置に対する前記譲渡データ通信処理を実行した後、前記識別情報受信手段は、前記他の情報処理装置の識別情報を受信するために、不特定の相手に識別情報を含む探索信号を送信あるいは前記他の情報処理装置から送信された前記探索信号を受信するまで待機する探索処理を繰り返し実行し、
前記譲渡データ通信判断手段は、前記識別情報受信手段による前記探索処理に従って通信可能な前記他の情報処理装置の識別情報毎に、前記譲渡データ通信処理を行うか否かを繰り返し判断し、
前記譲渡データ通信制御手段は、前記譲渡データ通信判断手段による判断結果毎に前記他の情報処理装置に対する前記譲渡データ通信処理の実行を繰り返し行い、
前記識別情報登録制御手段は、前記譲渡データ通信制御手段により前記登録条件について判断する毎に、前記他の情報処理装置の識別情報を前記記憶手段に繰り返し登録する、請求項１〜３のいずれか一項に記載の情報処理システム。
【請求項６】
前記情報処理装置は、前記他の情報処理装置に対して送信する譲渡データを指定する譲渡データ指定手段をさらに含む、請求項１〜５のいずれか一項に記載の情報処理システム。
【請求項７】
前記情報処理装置は、前記譲渡データ指定手段の指定により、複数のアプリケーションプログラムのうちの少なくとも１つのアプリケーションプログラムで利用可能なデータを、前記他の情報処理装置に提供する前記譲渡データとして記憶する譲渡データ記憶手段をさらに含み、
前記譲渡データ通信制御手段は、前記譲渡データ通信判断手段の判断結果に基づいて前記他の情報処理装置に対して前記譲渡データ記憶手段に記憶された前記譲渡データを前記他の情報処理装置に送信し、前記他の情報処理装置において記憶された譲渡データを受信する、請求項６記載の情報処理システム。
【請求項８】
前記情報処理装置は、所定条件に基づいて前記記憶手段に登録された識別情報を消去する識別情報消去手段をさらに含む、請求項１〜７のいずれか一項に記載の情報処理システム。
【請求項９】
前記識別情報消去手段は、所定期間経過後に前記記憶手段に登録された識別情報を消去する、請求項８記載の情報処理システム。
【請求項１０】
前記情報処理装置は、前記他の情報処理装置に対して送信する譲渡データを指定する譲渡データ指定手段をさらに含み、
前記識別情報消去手段は、前記譲渡データ指定手段により前記譲渡データを指定した際に、前記記憶手段に登録された識別情報を消去する、請求項８記載の情報処理システム。
【請求項１１】
前記他の情報処理装置から送信された前記譲渡データ通信処理に関する通信条件が受信される、請求項１〜１０のいずれかに記載の情報処理システム。
【請求項１２】
前記識別情報受信手段は、前記識別情報とともに前記通信条件を受信し、
前記譲渡データ通信判断手段は、前記識別情報受信手段により受信した前記他の情報処理装置の識別情報および前記通信条件に基づいて、前記譲渡データ通信処理を行うか否かを判断する、請求項１１記載の情報処理システム。
【請求項１３】
前記情報処理装置は、複数のアプリケーションプログラムのうちの少なくとも１つのアプリケーションプログラムで利用可能なデータを、前記他の情報処理装置に送信する譲渡データとして記憶する譲渡データ記憶手段をさらに含み、
前記通信条件は、前記譲渡データ記憶手段に記憶された前記譲渡データに対応付けられたアプリケーションプログラムを識別するアプリケーション識別情報を含み、
前記譲渡データ通信判断手段は、
前記識別情報受信手段により受信した前記他の情報処理装置の識別情報が前記記憶手段に登録されているか否かを判断する識別情報判断手段と、
受信した前記他の情報処理装置の通信条件に前記譲渡データ記憶手段に記憶されている前記譲渡データに対応付けられたアプリケーション識別情報と同じアプリケーション識別情報が含まれているか否かを判断するアプリケーション識別情報判断手段とを含む、請求項１１記載の情報処理システム。
【請求項１４】
前記情報処理装置は、前記他の情報処理装置に対して送信する譲渡データを指定する譲渡データ指定手段をさらに含み、
前記通信条件は、前記他の情報処理装置に対して送信する譲渡データと、前記他の情報処理装置から受信する譲渡データとの組み合わせに応じて前記譲渡データを取得するか否かを判定するための取得条件データを含み、
前記譲渡データ通信判断手段は、
前記識別情報受信手段により受信した前記他の情報処理装置の識別情報が前記記憶手段に登録されているか否かを判断する識別情報判断手段と、
受信した前記他の情報処理装置の通信条件に含まれている前記取得条件データが所定条件を満たすか否かを判断する取得条件データ判断手段とを含む、請求項１１記載の情報処理システム。
【請求項１５】
前記通信条件は、前記取得条件データについて、予め設けられている複数の比較方式のうちの１つの比較方式に指定するための比較識別データをさらに含む、請求項１４記載の情報処理システム。
【請求項１６】
前記取得条件データは、前記他の情報処理装置に対して送信する譲渡データに関連付けられた提供属性データと、前記他の情報処理装置から受信する譲渡データに関連付けられた要求属性データとを含み、
前記取得条件データ判断手段は、
前記他の情報処理装置に送信した前記取得条件データに含まれる提供属性データと、前記他の情報処理装置から受信した前記取得条件データに含まれる要求属性データとが一致するかどうかを判定する第１属性判定手段と、
前記他の情報処理装置に送信した前記取得条件データに含まれる要求属性データと、前記他の情報処理装置から受信した前記取得条件データに含まれる提供属性データとが一致するかどうかを判定する第２属性判定手段とを含む、請求項１４記載の情報処理システム。
【請求項１７】
前記取得条件データは、
判定に用いるデータの有効／無効を設定する判定設定データを含み、
前記第１属性判定手段は、前記他の情報処理装置に送信した前記取得条件データに含まれる提供属性データについて、前記判定設定データに従うマスク提供属性データと、前記他の情報処理装置から受信した前記取得条件データに含まれる要求属性データについて、前記判定設定データに従うマスク要求属性データとが一致するかどうかを判定し、
前記第２属性判定手段は、前記他の情報処理装置に送信した前記取得条件データに含まれる要求属性データについて、前記判定設定データに従うマスク要求属性データと、前記他の情報処理装置から受信した前記取得条件データに含まれる提供属性データについて、前記判定設定データに従うマスク提供属性データとが一致するかどうかを判定する、請求項１６記載の情報処理システム。
【請求項１８】
前記情報処理装置は、前記識別情報を所定条件で変更する識別情報変更手段をさらに含む、請求項１〜１７のいずれか一項に記載の情報処理システム。
【請求項１９】
前記識別情報変更手段は、前記識別情報を所定時間毎に変更する、請求項１８記載の情報処理システム。
【請求項２０】
前記記憶手段は、現在使用している識別情報に対応する前記他の情報処理装置の識別情報と、前回使用した識別情報に対応する前記他の情報処理装置の識別情報とをそれぞれ登録するための第１および第２の記憶領域とを含み、
前記情報処理装置は、前記所定条件に基づいて前記記憶手段に登録された識別情報を消去する識別情報消去手段をさらに含み、
前記識別情報消去手段は、変更する識別情報に対応する前記識別情報変更手段により前記現在使用している識別情報を変更する際に、前記第２の記憶領域に登録された識別情報を消去する、請求項１８記載の情報処理システム。
【請求項２１】
前記情報処理装置は、前記他の情報処理装置に対して送信する譲渡データを指定する譲渡データ指定手段をさらに含み、
前記譲渡データ通信制御手段により前記他の情報処理装置に対する前記譲渡データ通信処理を実行した後、前記識別情報受信手段は、前記他の情報処理装置の識別情報を受信するために、不特定の相手に識別情報を含む探索信号を送信あるいは前記他の情報処理装置から送信された前記探索信号を受信するまで待機する探索処理を繰り返し実行し、
前記譲渡データ通信判断手段は、前記識別情報受信手段による前記探索処理に従って通信可能な前記他の情報処理装置の識別情報毎に、前記識別情報受信手段により受信した前記他の情報処理装置の識別情報が前記記憶手段に登録されているか否かを繰り返し判断し、
前記譲渡データ通信制御手段は、前記譲渡データ通信判断手段による判断結果毎に、前記譲渡データ通信処理の実行を繰り返し行い、
前記識別情報登録制御手段は、前記譲渡データ通信制御手段により前記登録条件について判断する毎に、前記他の情報処理装置の識別情報を前記記憶手段に繰り返し登録する、請求項１〜３のいずれか一項に記載の情報処理システム。
【請求項２２】
記憶手段と、
他の情報処理装置から送信される、情報処理装置を識別する識別情報を受信するための識別情報受信手段と、
前記識別情報受信手段により受信した前記他の情報処理装置の識別情報に基づいて、前記他の情報処理装置に対する譲渡データの送信および前記他の情報処理装置からの譲渡データの受信の少なくとも一方を行う譲渡データ通信処理を行うか否かを判断する譲渡データ通信判断手段と、
前記譲渡データ通信判断手段の判断結果に基づいて前記譲渡データ通信処理を制御する譲渡データ通信制御手段と、
少なくとも前記譲渡データ通信制御手段により前記譲渡データ通信処理を行うことを登録条件として、当該登録条件を満たす場合に、当該譲渡データ通信処理を行う相手となる前記他の情報処理装置の識別情報を前記記憶手段に登録する識別情報登録制御手段とを含み、
前記譲渡データ通信判断手段は、前記識別情報受信手段により受信した前記他の情報処理装置の識別情報が前記記憶手段に登録されていた場合には、当該譲渡データ通信処理を行わないと判断する、情報処理装置。
【請求項２３】
通信可能な他の情報処理装置を繰り返して探索する無線モジュールと、
前記他の情報処理装置に対する譲渡データの送信および前記他の情報処理装置からの譲渡データの受信の少なくとも一方を行う譲渡データ通信処理を制御し、スリープ状態に遷移可能な譲渡データ通信制御手段とを備え、
前記無線モジュールは、
記憶手段と、
前記複数の情報処理装置のうちの他の情報処理装置から送信される、情報処理装置を識別する識別情報を受信するための識別情報受信手段と、
前記識別情報受信手段により受信した前記他の情報処理装置の識別情報に基づいて、前記譲渡データ通信処理を行うか否かを判断する譲渡データ通信判断手段と、
前記譲渡データ通信判断手段によって、前記譲渡データ通信処理を行うと判断した場合には、前記譲渡データ通信制御手段に通知を行う通知手段とを含み、
前記譲渡データ通信制御手段は、前記通知手段による通知を受けた場合に、スリープ状態を解除して、前記譲渡データ通信処理を実行し、
少なくとも前記スリープ状態を解除したことを登録条件として、当該登録条件を満たす場合に、当該譲渡データ通信処理を行う相手となる前記他の情報処理装置の識別情報を前記記憶手段に登録する識別情報登録制御手段をさらに備え、
前記譲渡データ通信判断手段は、前記識別情報受信手段により受信した前記他の情報処理装置の識別情報が前記記憶手段に登録されていた場合には、当該譲渡データ通信処理を行なわないと判断する、情報処理装置。
【請求項２４】
記憶手段と、
他の情報処理装置から送信される、情報処理装置を識別する識別情報を受信するための識別情報受信手段と、
前記識別情報受信手段により受信した前記他の情報処理装置の識別情報に基づいて、前記他の情報処理装置に対する譲渡データの送信および前記他の情報処理装置からの譲渡データの受信の少なくとも一方を行う譲渡データ通信処理を行うか否かを判断する譲渡データ通信判断手段と、
前記譲渡データ通信判断手段の判断結果に基づいて前記譲渡データ通信処理を制御する譲渡データ通信制御手段と、
少なくとも前記譲渡データ通信判断手段の判断処理をしたことを登録条件として、当該登録条件を満たす場合に、当該譲渡データ通信処理を行う相手となる前記他の情報処理装置の識別情報を前記記憶手段に登録する識別情報登録制御手段とを含み、
前記譲渡データ通信判断手段は、前記識別情報受信手段により受信した前記他の情報処理装置の識別情報が前記記憶手段に登録されていた場合には、当該譲渡データ通信処理を行なわないと判断する、情報処理装置。
【請求項２５】
記憶手段と、
他の情報処理装置から送信される、情報処理装置を識別する識別情報を受信するための識別情報受信手段と、
前記識別情報受信手段により受信した前記他の情報処理装置の識別情報に基づいて、前記他の情報処理装置からの譲渡データの受信を行う譲渡データ通信処理を行うか否かを判断する譲渡データ通信判断手段と、
前記譲渡データ通信判断手段の判断結果に基づいて前記譲渡データ通信処理を制御する譲渡データ通信制御手段と、
少なくとも前記譲渡データ通信制御手段により前記譲渡データ通信処理を行うことを登録条件として、当該登録条件を満たす場合に、当該譲渡データ通信処理を行う相手となる前記他の情報処理装置の識別情報を前記記憶手段に登録する識別情報登録制御手段とを含み、
前記譲渡データ通信判断手段は、前記識別情報受信手段により受信した前記他の情報処理装置の識別情報が前記記憶手段に登録されていた場合には、当該譲渡データ通信処理を行わないと判断する、情報処理装置。
【請求項２６】
記憶手段と、
他の情報処理装置から送信される、情報処理装置を識別する識別情報を受信するための識別情報受信手段と、
前記識別情報受信手段により受信した前記他の情報処理装置の識別情報に基づいて、前記他の情報処理装置に対して譲渡データの送信を行う譲渡データ通信処理を行うか否かを判断する譲渡データ通信判断手段と、
前記譲渡データ通信判断手段の判断結果に基づいて前記譲渡データ通信処理を制御する譲渡データ通信制御手段と、
少なくとも前記譲渡データ通信制御手段により前記譲渡データ通信処理を行うことを登録条件として、当該登録条件を満たす場合に、当該譲渡データ通信処理を行う相手となる前記他の情報処理装置の識別情報を前記記憶手段に登録する識別情報登録制御手段とを含み、
前記譲渡データ通信判断手段は、前記識別情報受信手段により受信した前記他の情報処理装置の識別情報が前記記憶手段に登録されていた場合には、当該譲渡データ通信処理を行わないと判断する、情報処理装置。
【請求項２７】
複数の情報処理装置と複数の固定端末機器を含む、情報処理システムであって、
前記情報処理装置は、
記憶手段と、
前記複数の情報処理装置のうちの他の情報処理装置あるいは複数の固定端末機器のうちの１つの固定端末機器から送信される、情報処理装置あるいは固定端末機器を識別する識別情報を受信するための識別情報受信手段と、
前記識別情報受信手段により受信した前記他の情報処理装置あるいは前記固定端末機器の識別情報に基づいて、前記他の情報処理装置あるいは前記固定端末機器に対する譲渡データの送信および前記他の情報処理装置あるいは前記固定端末機器からの譲渡データの受信の少なくとも一方を行う譲渡データ通信処理を行うか否かを判断する譲渡データ通信判断手段と、
前記譲渡データ通信判断手段の判断結果に基づいて前記譲渡データ通信処理を制御する譲渡データ通信制御手段と、
少なくとも前記譲渡データ通信制御手段により前記譲渡データ通信処理を行うことを登録条件として、当該登録条件を満たす場合に、当該譲渡データ通信処理を行う相手となる前記他の情報処理装置あるいは前記固定端末機器の識別情報を前記記憶手段に登録する識別情報登録制御手段とを含み、
前記譲渡データ通信判断手段は、前記識別情報受信手段により受信した前記他の情報処理装置あるいは前記固定端末機器の識別情報が前記記憶手段に登録されていた場合には、当該譲渡データ通信処理を行なわないと判断する、情報処理システム。
【請求項２８】
前記記憶手段は、前記識別情報登録制御手段により登録された前記情報処理装置の識別情報を登録する第１の領域と、前記固定端末機器の識別情報を登録する第２の領域とを有する、請求項２７記載の情報処理システム。
【請求項２９】
記憶手段と、
他の情報処理装置あるいは固定端末機器から送信される、情報処理装置あるいは固定端末機器を識別する識別情報を受信するための識別情報受信手段と、
前記識別情報受信手段により受信した前記他の情報処理装置あるいは前記固定端末機器の識別情報に基づいて、前記他の情報処理装置あるいは前記固定端末機器に対する譲渡データの送信および前記他の情報処理装置あるいは前記固定端末機器からの譲渡データの受信の少なくとも一方を行う譲渡データ通信処理を行うか否かを判断する譲渡データ通信判断手段と、
前記譲渡データ通信判断手段の判断結果に基づいて前記譲渡データ通信処理を制御する譲渡データ通信制御手段と、
少なくとも前記譲渡データ通信制御手段により前記譲渡データ通信処理を行うことを登録条件として、当該登録条件を満たす場合に、当該譲渡データ通信処理を行う相手となる前記他の情報処理装置あるいは前記固定端末機器の識別情報を前記記憶手段に登録する識別情報登録制御手段とを含み、
前記譲渡データ通信判断手段は、前記識別情報受信手段により受信した前記他の情報処理装置あるいは前記固定端末機器の識別情報が前記記憶手段に登録されていた場合には、当該譲渡データ通信処理を行なわないと判断する、情報処理装置。
【請求項３０】
ＣＰＵと当該ＣＰＵとは独立して動作可能な無線モジュールとを含む情報処理装置であって、
前記無線モジュールは、
他の情報処理装置から送信される、情報処理装置を識別する識別情報を受信するための識別情報受信手段と、
前記識別情報受信手段により受信した前記他の情報処理装置の識別情報に基づいて、前記他の情報処理装置に対するデータの送信および前記他の情報処理装置からのデータの受信の少なくとも一方を行うデータ通信処理を行うか否かを判断するデータ通信判断手段と、
少なくとも前記データ通信処理を行うことを条件として、当該条件を満たす場合に、当該データ通信処理を行う相手となる前記他の情報処理装置の識別情報を前記記憶手段に記憶する識別情報記憶制御手段とを含み、
前記ＣＰＵは、
前記他の情報処理装置から受信したデータを処理するデータ処理手段を含み、
前記データ通信判断手段は、前記ＣＰＵが前記データ処理手段による処理を停止している省電力状態である場合において、前記識別情報受信手段により受信した前記他の情報処理装置の識別情報が前記記憶手段に記憶されている場合には、当該データ通信処理を行わないと判断する、情報処理装置。